(57)【要約】【課題】吸水性及び保水性に優れ、かつ床面への貼着及び引き剥がしが容易であり、床面に粘着剤が残留することがない使い捨てマットを提供することである。また特殊な防水加工等を施すことなく、マット裏面部に形成した粘着剤により床面への水分の滲み出しを防止し、製造コストの低廉化を図ることのできる使い捨てマットを提供することである。【解決手段】使い捨てマット１は、高吸水性高分子を含む不織布シート２と、該不織布シート２の裏面部に形成される不透水性の再剥離型粘着剤３と、該再剥離型粘着剤３に貼着される剥離シート４から構成されている。高吸水性高分子は、不織布シート２の内部に混在しており、不織布シート２は加圧保水性を有している。不織布シート２は、パルプ繊維又はレーヨン繊維、あるいはパルプ繊維とレーヨン繊維の混紡不織布である。再剥離型粘着剤３は、アクリル系粘着剤又はゴム系粘着剤である。【選択図】図１
2009172295.tif 000002
【特許請求の範囲】
【請求項１】
高吸水性高分子を含む不織布シートと、該不織布シートの裏面部に形成される不透水性の再剥離型粘着剤と、該再剥離型粘着剤に貼着される剥離シート、から構成される使い捨てマット。
【請求項２】
前記高吸水性高分子は、不織布シートの繊維間に混在していることを特徴とする請求項１に記載の使い捨てマット。
【請求項３】
前記不織布シートは、加圧保水性を有していることを特徴とする請求項１または請求項２に記載の使い捨てマット。
【請求項４】
前記不織布シートの保水量は１５００ｇ／ｍ２〜５０００ｇ／ｍ２であることを特徴とする請求項１〜請求項３のいずれか一項に記載の使い捨てマット。
【請求項５】
前記不織布シートは、パルプ繊維又はレーヨン繊維の不織布であることを特徴とする請求項１〜請求項４のいずれか一項に記載の使い捨てマット。
【請求項６】
前記不織布シートは、パルプ繊維とレーヨン繊維の混紡不織布であることを特徴とする請求項１〜請求項４のいずれか一項に記載の使い捨てマット。
【請求項７】
前記不織布シートの前記高吸水性高分子を混入する前の秤量は、７０ｇ／ｍ２〜１５０ｇ／ｍ２であることを特徴とする請求項１〜請求項６のいずれか一項に記載の使い捨てマット。
【請求項８】
前記再剥離型粘着剤は、アクリル系粘着剤又はゴム系粘着剤であることを特徴とする請求項１〜請求項７のいずれか一項に記載の使い捨てマット。
【請求項９】
前記再剥離型粘着剤を前記不織布シートの裏面部の全面に塗工することを特徴とする請求項１〜請求項８のいずれか一項に記載の使い捨てマット。
【請求項１０】
前記再剥離型粘着剤の厚さは２０μ〜７０μであることを特徴とする請求項１〜請求項９のいずれか一項に記載の使い捨てマット。
【請求項１１】
前記不織布シートの表面部に透水性又は吸水性を有する印刷面を形成したことを特徴とする請求項１〜請求項１０のいずれか一項に記載の使い捨てマット。
【請求項１２】
前記使い捨てマットは、トイレマットであることを特徴とする請求項１〜請求項１１のいずれか一項に記載の使い捨てマット。
【発明の詳細な説明】
【技術分野】
【０００１】
本発明は、トイレ、台所、浴場等の水分が滴下、飛散する床面に敷設し、該水分を吸収させる使い捨てマットに関するものである。
【背景技術】
【０００２】
トイレ等の床面に敷設するマットとしては、従来から吸水性のすぐれた各種繊維製マットが市販されているが、航空機内トイレ、列車内トイレ、ホテル内トイレ等に敷設するトイレマットは、不特定の人が使用するため頻繁に交換する必要がある。このため、クリーニング代等のコスト負担が大きく、またマット交換時に、マットに滲み込んだ尿分や汚物が衣服等に付着し、または周囲に飛散する等不衛生であるため作業員の心理的負担も大きいという問題がある。
【０００３】
一方、使い捨て用のトイレマットとしては次のようなものが提案されている。特許文献１では、高吸水性、吸湿性の紙パルプ材または不織布等のシート層の裏面に防水加工または撥水加工を施し、さらには該シート層の裏面にズレ防止用の粘着テープ等の接合材を装着した使い捨て吸水性マットが提案されている。
【０００４】
また引用文献２では、吸水性を有する繊維と水溶性を有する繊維を混抄して形成した不織布の吸収シートの一方の面に、耐水性粘着剤を島状に点在するように形成するとともに、該吸水シートの他方の面に、耐水性を有する複数の印刷模様を各々が独立するように形成したトイレ用シートが提案されている。
【０００５】
また引用文献３では、吸水性樹脂を混入した不織布等の吸水性シートの下面に、水透過防止のための合成樹脂フィルムを貼着し、そのフィルムの下面に粘着層ないし滑り止め層を形成するとともに、吸水シートの上面に模様を施した使い捨てトイレマットが提案されている。
【０００６】
さらに特許文献４では、不織布等の吸水性シートの下面に液体透過率の低いフィルムを積層し、そのフィルムの下面に再剥離性粘着剤層と剥離紙を設けた床面保護マットが提案されている。
【０００７】
【特許文献１】実用新案第３０５７２９７号公報
【特許文献２】特許第３６９２３２４号公報
【特許文献３】特開平７−２１３４５８号公報
【特許文献４】特開平８−３２３９２８号公報
【発明の開示】
【発明が解決しようとする課題】
【０００８】
しかしながら、特許文献１の使い捨て吸水性マットは、吸水性を不織布繊維素材のみに依存しているため、吸水性能に限度があり、保水性も低いことからマットを踏んだ際に水分がマット表面に滲み出すため臭気が発生するとともに、不衛生であるという問題、マット裏面に防水、撥水加工を施して床面への水分の漏れを防止しているためコストが高くなるという問題、マット裏面には粘着テープ等の接合材を装着しているが、通常の粘着テープは経時的に固着力が強くなるため引き剥がしが困難となり、引き剥がした後、床面に粘着剤が残留するという問題等々がある。
【０００９】
また特許文献２のトイレ用シートは、上述したように吸水性を不織布繊維素材の吸水性能に依存しており、高い吸水性と保水性が得られないという問題、マット裏面に粘着剤を島状に点在するように形成するため、その隙間からマット内の水分が滲み出て床面を汚すという問題、マット表面に耐水性を有する印刷模様を施すため、印刷部分での吸水が阻害されるという問題等々がある。
【００１０】
また特許文献３の使い捨てトイレマットは、不織布等の吸水性シートに吸水性樹脂が混入されているものの、下面に水透過防止のための合成樹脂フィルムを貼着し、さらにそのフィルムの下面に粘着層ないし滑り止め層を形成するという二重の工程が必要なためにコストが高くなるという問題がある。
【００１１】
本発明は上述のような現状に鑑みて提案されたものであり、その解決課題は、吸水性及び保水性に優れ、かつ床面への貼着及び引き剥がしが容易であり、床面に粘着剤が残留することがない使い捨てマットを提供することである。また本発明は、特殊な防水加工等を施すことなく、マット裏面部に形成した粘着剤により床面への水分の滲み出しを防止し、製造コストの低廉化を図ることができる使い捨てマットを提供することである。さらに本発明は、マットの表面部に印刷を施した場合に、その印刷部分がマットの吸水性を阻害しないような使い捨てマットを提供することである。
【課題を解決するための手段】
【００１２】
上記課題を解決するため、請求項１の発明の使い捨てマットにあっては、高吸水性高分子を含む不織布シートと、該不織布シートの裏面部に形成される不透水性の再剥離型粘着剤と、該再剥離型粘着剤に貼着される剥離シート、から構成される。
【００１３】
不織布はそれ自体吸水性を有しているが、高吸水性高分子（高吸水性樹脂またはＳＡＰとも称される）は自重の数倍から１０００倍程度の吸水性を有しており、しかも架橋構造によって水分子を捕捉するため多少の圧力をかけても離水することがなく、保水性にも優れている。また前記不織布シートの裏面部に不透水性の再剥離型粘着剤を形成することにより、不織布シートが有する保水量の限界を超えた場合や、過度の圧力が加わった場合でも不織布シート内の水分が床面に滲み出すこともなく、引き剥がした後でも床面に粘着剤が残留することもない。さらに、前記不織布シートの裏面部に再剥離型粘着剤を塗工等により形成する工程だけであり、この他に特殊な防水加工等を必要としないため、製造コストも安価である。
【００１４】
また請求項２の発明にあっては、前記高吸水性高分子が、不織布シートの繊維間に混在していることを特徴とする。
【００１５】
このようにすると、不織布シートが吸収した水分を高吸水性高分子が吸収するため不織布シートの乾燥状態を維持することができ、ベト付き等の不快感が解消できる。また不織布シート内に分散した高吸水性高分子により均一な吸収性を確保できる。
【００１６】
また請求項３の発明にあっては、前記不織布シートが、加圧保水性を有していることを特徴とする。
【００１７】
上述のように本発明の不織布シートは高吸水性高分子を含んでおり、架橋構造によって水分子を捕捉するため、加圧下での保水性に優れている。耐加圧力としては大人が踏んでも離水しない程度の保水性が好ましい。
【００１８】
また請求項４の発明にあっては、前記不織布シートの保水量は１５００ｇ／ｍ２〜５０００ｇ／ｍ２であることを特徴とする。
【００１９】
保水量が１５００ｇ／ｍ２以下ではマットを頻繁に取り替えなければならないために不便であり、５０００ｇ／ｍ２以上では不織布シートが厚くなることや高吸水性高分子の含有密度が高くなることから、製造コストが高くなる。
【００２０】
また請求項５の発明にあっては、前記不織布シートが、パルプ繊維またはレーヨン繊維の不織布であることを特徴とする。また請求項６の発明にあっては、前記不織布シートが、パルプ繊維とレーヨン繊維の混紡不織布であることを特徴とする。
【００２１】
これらの不織布素材は、それ自体吸水性に優れており、軽量でクッション性も良く、不織布シートを安価に入手できるため、本発明の使い捨てマットを安価に製造することができる。
【００２２】
また請求項７の発明にあっては、前記不織布シートの高吸水性高分子を混入する前の秤量は、７０ｇ／ｍ２〜１５０ｇ／ｍ２であることを特徴とする。
【００２３】
秤量が７０ｇ／ｍ２以下では上述の吸収性、クッション性が得られず、腰強度も不足して皴ズレが生じやすくなる。また１５０ｇ／ｍ２以上では嵩高が増すとともに重量が増加し、マットの交換作業に負担が掛かるのみでなく、輸送を含めた製造コストも高くなる。
【００２４】
また請求項８の発明にあっては、前記再剥離型粘着剤は、アクリル系粘着剤またはゴム系粘着剤であることを特徴とする。
【００２５】
これらの再剥離型粘着剤は、不透水性を有しており、前記不織布シートの裏面部にこの再剥離型粘着剤の層を形成することにより、床面に不織布シート内の水分が滲み出すのを防止することができる。また再剥離型粘着剤は、不織布シートとの密着性も良く、床面の素材に応じた粘性物性（接着力、凝集力等）のものを容易に選択することができる。さらに不織布シートを床面から引き剥がした後、床面に粘着剤が残留することもない。
【００２６】
また請求項９の発明にあっては、前記再剥離型粘着剤を前記不織布シートの裏面部の全面に塗工することを特徴とする。
【００２７】
これにより、不織布シートの一部から水分が床面へ滲み出すことなく、不織布シート裏面部からの水分滲み出しを完全に防止することができる。また床面との粘着性も強化される。
【００２８】
また請求項1０の発明にあっては、前記再剥離型粘着剤の厚さは２０μ〜７０μであることを特徴とする。
【００２９】
再剥離型粘着剤の厚さが２０μ以下では再剥離型粘着剤の不透水性（シール性）及び粘着性が不十分である。しかし７０μ以上になるとマット全体の柔軟性が不足し、粘着性が強くなり過ぎるとともに不透水性の効果に変わりはないため材料が無駄である。
【００３０】
また請求項１１の発明にあっては、前記不織布シートの表面部に透水性または吸水性を有する印刷面を形成したことを特徴とする。
【００３１】
これにより、印刷面の部分で前記不織布シートの防水性が阻害されることがなくなり、文字、模様、絵柄等の任意の印刷を不織布シートの表面に施して装飾効果を得ることができる。また印刷を施すことにより尿色素の付着による不快感が解消され、付加価値が増す。
【００３２】
また請求項１２の発明にあっては、前記使い捨てマットは、トイレマットであることを特徴とする。
【００３３】
前記トイレマットとしては特に、航空機内トイレ、列車内トイレ、ホテル内トイレ等、不特定の人が利用するトイレの床面に敷設するトイレマットとして便利である。
【発明の効果】
【００３４】
本発明の使い捨てマットは、優れた吸水性及び保水性を有しており、また、裏面部に施した再剥離型粘着剤によって床面への水分の滲み出しを防止することができるとともに、引き剥がした際に粘着剤が床面に残留することがない。このため、特殊な防水加工等を施す必要がなく製造コストも安価である。さらに、表面部に印刷を施した場合に、その印刷部分によって不織布シートの吸水性を阻害されない等の効果が得られる
【発明を実施するための最良の形態】
【００３５】
以下、本発明の実施形態を添付図面の使い捨て用トイレマットに適用した場合を例にとって説明する。トイレマット１は、不織布シート２と、該不織布シート２の裏面部に塗工等によりフィルム状に形成された再剥離型粘着剤３と、該再剥離型粘着剤３に貼着される剥離シート４から構成されている。
【００３６】
不織布シート２の不織布素材は、特に限定されないが、パルプ繊維、レーヨン繊維、ポリエステル繊維、ポリオレフィン繊維、ナイロン繊維、ビニロン繊維、セルロース繊維等の各種繊維素材を原料としている。なかでもパルプ繊維とレーション繊維の単体不織布または積層不織布、好ましくはパルプ繊維とレーヨン繊維を混紡した不織布が、吸水性、クッション性、引張り強度、平滑性、柔軟性、印刷適応性等に優れている。なお、不織布シート２は、不織布素材に染料ないし顔料を添加するなどしてユーザーが要求する色に着色することができる。これにより、例えば不織布シート２の表面部に付着した尿色素等を目立たなくすることができる。
【００３７】
不織布の秤量、特にパルプ繊維とレーヨン繊維の混紡から造られた不織布の秤量は、７０ｇ／ｍ２〜１５０ｇ／ｍ２が好ましい。秤量が７０ｇ／ｍ２以下では上述した吸収性、クッション性、引張り強度等が得られず、腰強度が不足するため、トイレマットを床面に敷設するときに皴等が生じやすくなる。また１５０ｇ／ｍ２以上では、嵩高が増して重量が増加し、トイレマットの交換作業に負担が掛かり、製造コストも高くなる。
【００３８】
不織布シート２の内部には、高吸水性高分子５が混入されている。本発明のトイレマットで使用する高吸水性高分子５は、自重の数十倍から数百倍近くの吸水力を有してれば十分である。またこの高吸水性高分子５は、吸水しても形状を保持する安定な物質であり、外力が加わっても容易に離水しない特性を有している。
【００３９】
高吸水性高分子５としては、特に限定するものではないが、デンプン-アクリロニトリル系、デンプン−アクリル酸系、カルボキシルメチルセルロース系、ポリアクリル酸系、ビニルアルコール−アクリル酸系等があげられる。これら高吸水性高分子５は、粒径０．１ｍｍ〜１ｍｍの粉末状であることが好ましく、不織布シート２の内部全体に均一に混入されている。
【００４０】
高吸水性高分子５が混入された不織布シート２の保水量は、特に限定するものではないが１５００ｇ／ｍ２〜５０００ｇ／ｍ２が好ましい。この保水量は、高吸水性高分子５の選択、不織布シート２への混入密度等により調整することができる。なお、不織布シート２の厚さは、特に限定されないが１ｍｍ〜３ｍｍが好ましく、必要により複数枚重ねて使用することもできる。
【００４１】
不織布シート２の裏面部に形成される再剥離型粘着剤３としては、アクリル系粘着剤またはゴム系粘着剤が好ましい。不織布シート２の裏面部に形成させるまでのこれら粘着剤の性状としては、水中に粘着剤成分を分散させたエマルジョン系、有機溶剤に溶解させた溶剤系、無溶剤系のホットメルトタイプ、あるいは紫外線照射タイプのいずれであってもよい。
【００４２】
これらアクリル系粘着剤またはゴム系粘着剤は、不織布シート２との密着性が良く、敷設する床面に応じた粘着物性（接着力、凝集力等）のものを容易に選択することができる。また床面から剥がした後、床面に粘着剤が残留することもない。さらに、不透水性にも優れているため、不織布シート２の保水量限度を超えたり、または過剰な加圧が生じた場合等に、不織布シート２内部の水分が裏面部から床面に滲み出すようなこともない。
【００４３】
再剥離型粘着剤３は、不織布シート２の裏面部の全面に形成する。この形成方法は、公知の方法を採用することができる。例えば粘着剤の溶剤溶液、ホットメルトタイプの粘着剤を加熱により溶解させた状態のもの、紫外線照射タイプの粘着剤の液状組成物等を直接不織布シート２の裏面部に塗布し、乾燥や冷却ないし紫外線等を照射して再剥離型粘着剤３を形成する。その後、再剥離型粘着剤３に後述の剥離シート４を貼着することにより、本発明のトイレマット１が得られる。
【００４４】
また別の方法として、粘着剤の溶剤溶液や粘着剤成分が水に分散したエマルジョンを剥離シート４に塗布して乾燥することにより、あるいは紫外線等の照射により粘着剤となる液状組成物を剥離シート４に塗布し紫外線等を照射することにより、剥離シート４が粘着されたフィルム状の再剥離型粘着剤３を得る。これをそのまま不織布シート２の裏面部に貼り合わせることにより、本発明のトイレマット１が得られる。
【００４５】
再剥離型粘着剤３の厚さは、不織布シート２の厚さ、床面との接着性等に応じて選定され、特に限定されるものではないが、２０μ〜７０μが好ましい。再剥離型粘着剤３の厚さが２０μ以下では不透水性及び粘着性が不十分である。しかし７０μ以上になるとマット全体の柔軟性が不足し、粘着性が強くなり過ぎるとともに不透水性の効果に変わりはないため材料が無駄である。なお、床面としてはプラスチック板、木板、金属板、各種合成板等があり、再剥離型粘着剤３は、これらいずれの床面にも適切な粘着力で貼着することができる。
【００４６】
剥離シート４は、再剥離型粘着剤３の裏面部に剥離可能に貼着され、未使用時に再剥離型粘着剤３を保護している。剥離シート４は、特に限定されるものではないが、ベース素材として紙またはポリエチレン、ポリプロピレン、ポリエチレンテレフタレート等のフィルム系を使用することができ、再剥離型粘着剤３との貼着面側にシリコーン系等の剥離剤が塗布されている。
【００４７】
不織布シート２の表面部には、文字、模様、絵柄等の任意の印刷面６を形成することができる。このような印刷面６を形成することにより、装飾効果を得るとともに、特に不織布シート２自体に前述した着色が施されていないような場合に、所定の色の印刷面６とすることにより尿色素の付着による不快感が解消されることになる。
【００４８】
前記印刷面６は透水性または吸水性を有している。印刷面６に透水性をもたせるためには、例えば水性アルカリインク、油性ナイロン用インク、油性ＰＰ用インク等によって、インク層が透水性を有する程度の薄膜層となるように印刷する方法や、印刷面に多数の透水用の微小孔を機械的に形成する方法などあがる。また、印刷面６に吸水性をもたせる方法としては、例えばアクリル系の主剤にエポキシ系硬化剤を所定の割合で添加した吸水メジウムを使用して印刷することができる。
【００４９】
図面では、印刷面６が不織布シート２の表面部の一部に形成されているが、不織布シート６の全面部にこの印刷面６を形成することができる。印刷面６が吸水性を有している場合においては、その印刷面６で吸収された水分は、不織布シート２側に浸出し、最終的に高吸収性高分子５に吸収されるため、印刷面６のベト付き感がいつまでも残留することはない。
【００５０】
トイレマット１の大きさや形状はユーザーの要望により任意に選定することができる。ここでは長方形であるが、便器の脚部の形状に合わせて切欠部を形成してもよく、あるいは敷設する床面形状に合わせた形状としてもよい。
【００５１】
上述のトイレマット１をトイレに敷設するに際しては、再剥離型粘着剤３に貼着された剥離シート４を剥離した後、再剥離型粘着剤３を下にしてトイレ床面に置き、軽く押さえ付けるだけでトイレマット１は床面に適度の粘着力で貼着される。飛散または滴下した尿水等は、不織布シート２に吸収されが、その水分は不織布シート２に混入した高吸水性高分子５に吸水ないし保水されるため、不織布シート２は常に乾燥状態に維持される。また、使用者がトイレマット１を踏んでトイレマット１を加圧しても、高吸水性高分子５の保水力により、尿水が離水して不織布シート２の表面に滲み出ることはない。
【００５２】
トイレマット１の不織布シート２が保水量の限界を超えた場合や、過度の圧力が加わった場合でも、不織布シート２の裏面部に形成された再剥離型粘着剤３が不透水性を有しているため、不織布シート２内の尿水等が床面に滲み出すこともない。
【００５３】
トイレマット１を新しいマットと交換するときは、トイレマット１を床面から引き剥がすだけで、再剥離型粘着剤３は床面から容易に離脱し、床面に再剥離型粘着剤３が残留することがない。その後、新しいトイレマット１を上述と同じように床面に敷設し、使用済みのトイレマット１は廃棄する。
【００５４】
このように、トイレマット１を簡単な作業で交換することができるため、航空機内トイレ、列車内トイレ、ホテル内トイレ等の不特定人が使用するトイレに敷設するマットに好適である。
【００５５】
なお、上述の実施態様ではトイレマットを例にとって説明したが、台所マット、浴場マットの等の水分が滴下、飛散する床面に敷設する使い捨てマットにも好適に使用できる。
【図面の簡単な説明】
【００５６】
【図１】本発明の実施態様を示すトイレマットの説明図である。
【図２】同じくトイレマットの断面図である。
【符号の説明】
【００５７】
１はトイレマット
２は不織布シート
３は再剥離型粘着剤
４は剥離シート
５は高吸水性高分子
６は印刷面
【図１】
2009172295.tif 000003
【図２】
2009172295.tif 000004
【手続補正書】
【提出日】平成20年1月31日(2008.1.31)
【手続補正１】
【補正対象書類名】明細書
【補正対象項目名】００３６
【補正方法】変更
【補正の内容】
【００３６】
不織布シート２の不織布素材は、特に限定されないが、パルプ繊維、レーヨン繊維、ポリエステル繊維、ポリオレフィン繊維、ナイロン繊維、ビニロン繊維、セルロース繊維等の各種繊維素材を原料としている。なかでもパルプ繊維とレーヨン繊維の単体不織布または積層不織布、好ましくはパルプ繊維とレーヨン繊維を混紡した不織布が、吸水性、クッション性、引張り強度、平滑性、柔軟性、印刷適応性等に優れている。なお、不織布シート２は、不織布素材に染料ないし顔料を添加するなどしてユーザーが要求する色に着色することができる。これにより、例えば不織布シート２の表面部に付着した尿色素等を目立たなくすることができる。